(57)【要約】【課題】オイル量点検と同時に検知面凹凸溝部で汚濁具合の点検も、一面一見の目視で即一目瞭然の対応判断ができる、オイルレベルゲージを提供する。【解決手段】オイルレベルゲージ１に設けられた、オイル量上限目盛線５と下限目盛線６を印刻した、前記下限目盛線６から僅か離した領の一面に、長方形枠溝部８を形成した枠溝内を、所望な適宜間隔幅に検知面凹凸溝部９を形成して設けて、オイル量点検と同時に平行して一気に，汚濁や不純物混入進度とオイル劣化具合等の状況判断が、客観性の高い即一目瞭然の目視で検知できるオイルレベルゲージ。【選択図】　　　　図１
2004116507.tif 000002
【特許請求の範囲】
【請求項１】
オイルパン（１２）内に開口している挿通管（７）から，挿込まれているオイルレベルゲージ（１）を引き抜いて、上限目盛線（５）と下限目盛線（６）を目視で読み，検知面凹凸溝部（９）に付着したオイル（１３）で汚濁進度状況を、同時に目視判断で理解ができる、オイルレベルゲージ（１）において，本体要部の所望な位置を弾性変形可能な部材で構成する一方、オイルレベルゲージ（１）の上限目盛線（５）下限目盛線（６）を印刻した下方僅かに離し位置から、長方形枠溝部（８）を構成した枠溝内に、所望間隔幅に検知面凹凸溝部（９）を構成して設け、オイル（１３）量と汚濁の具合が共に一面同時に，一目瞭然の一見判断ができるオイルレベルゲージ（１）の特徴。
【請求項２】
前記、長方形枠溝部（８）内に構成して設けた，前記検知面凹凸溝（９）において、オイル（１３）に不純物（１４）の混入物等がよく付着する素材又は表面に皮膜等の加工を施して、進度状況の目視判断をより適確にする。
【請求項３】
前記オイル下限目盛線（６）下端面部に延長固定する、所望径太長の螺旋状曲折自在バネ（１７）を設けた先端面部に挿抜容易な円錐状プラグ（１８）を装着構成にしたオイルレベルゲー（１）で，オイルパン（１２）低層内部オイル（１３）に混入した汚濁り具合の点検を，前記螺旋状曲折自在バネ（１７）バネ表面凹凸溝部（１９）に付着した位置と量の状況で使用中の継続判断をする。
【発明の詳細な説明】
【０００１】
【発明の属する技術分野】
本発明は、各種エンジンに共通する円滑な回転に必要な、オイル量の点検に加えて、同時にオイルパン内の使用中オイルに、汚濁や不純物の混入進度具合の状況等を、オイルレベルゲージに設けた検知面凹凸溝部に付着した状態の目視判断で、その質の内容進度状況が一目瞭然の目視検知の理解で的確に判断できる。
【従来の技術】
【０００２】
従前来から、エンジンオイル量に関する取扱いはオイル量の点検程度で、オイルに関する内容の影響には、極めて関心事が低い仕業点検の確認分野であつた。オイルレベルゲージを引き抜いて付着したオイル目盛で、量の確認と同時に、汚れ具合を感触で判断する程度の方法には客観性に欠けるお粗末点検であつた、又は走行距離数を目安にオイル交換作業をするのが常識であるが、次回の予定走行距離数を忘る者が大半で、重要性に関心が低く適正な実施方法の解決には程遠い道乗りが感じられる、またオイル交換時期を不当に早めると、各種エンジンに及ぶ使用量の経費は莫大な不経済で資源の無駄使いと不用な労力時間を費し，又遅過ぎて、エンジン早期摩耗と不調に多大な悪影響を及ぼし、更には自然環境破壊と公害物質を排出して自然の空気を汚染し、住民の暮らしを妨げる騒音問題等々、人々に様々な不健康な要因を招く重大な社会環境問題にも波及するが、現在この対応解決に世論も業界も口外していないのが現状である。
【０００３】
【発明が解決しようとする課題】従来から現在に至つて、各種エンジン用オイルの重要性の問題認識に欠けた取扱い者の多い点検判断に関するものである。この問題は、快適な運転確保維持の為や環境保全対策にも必要な仕業点検に関する事で、オイル量に平行して使用中の質の内容は大事な保守管理である、交換時期の適切な判断と事前判断も大切な要因である、オイル不良は多面的機能に悪影響を及ぼすので、日常の仕業点検で使用中オイルの汚れ濁りの進度状況の把握が一面目視の一見で一目瞭然に適切な判断ができる点検内容は必要な問題である。
【０００４】
【発明が解決しようとする課題】
本発明は、エンジンオイルのレベル点検と同時に、オイル汚れに濁りその他の不純物等の混入物の現状進度状況が目視において，一目瞭然に誰の目からも確かな理解判断が共通容易にできるオイルレベルゲージの機能と、その構成方法を提供することを目的としている。
【０００５】
本発明は、エンジンオイル量の点検と同時にオイル汚れの現状把握の検知点検をする。エンジン停止後の油の沈澱状態において、オイルレベルゲージを引き抜いて油量点検の確認に平行して、検知面凹凸溝部に付着状態のオイルを、略々水平で、前後左右に静かに動かす動作を４〜５回繰り返しながら、検知面凹凸溝部に付着したオイル汚れ具合や不純物の混入した付着物状況の、位置と質と量を含む内容を考慮に入れた目視点検の高い確認で、汚れと濁りの現在進度具合を判断し、また使用中オイル質の低下判断は、オイルレベルゲージを垂直に立てた状態で、オイルの滴下する早さの状況密な目視確認判断の続行で理解を深めながら、最終的な判断は、下端面部で止まつてできる球面状オイルの大小で、汚れの進度判断に及ぶ共通理解の認識が、一目瞭然の高い判断結果で対応が期待できる。
【０００６】
【実施例】エンジン始動前のオイル量点検は、オイルレベルゲージ（１）の把手（４）で引き抜き、オイル（１３）量の上限目盛線（５）と下限目盛線（６）で適量を調べる、次に検知面凹凸溝部（９）に付着したオイル（１３）の状態で，オイルレベルゲージ（１）が略々水平状態で、前後左右に静に４〜５回繰り返し動しながら，オイル（１３）の動きの状況目視を続けて，汚れに濁り具合や不純物（１４）の残留物が検知面凹凸面部（９）に付着している位置の量と質の内容で、使用中オイル（１３）の進度状況を理解する点検確認と、現状の進度状況の総合的目視の理解判断で確認するまた、オイルレベルゲージ（６）を垂直の状態で、暫くオイル（１３）が流れ落ちる早さと、下端面部（１７）で止まつてできる球面状オイルの大小で、使用中オイル（１３）の質とその内容を判断確認後に、オイルレベルゲージ（１）を挿通管（７）から挿込んで元に戻して点検測定の判断検知作業を終わる。
必要な判断理解が適切であれば、効果的な作業目的に役立つ高い解決になる。
【０００７】
【発明の効果】本発明は、多種エンジンの快適な回転や寿命や経済性を左右したり、人害排気ガスによる公害汚染物や生活環境騒音にも、深い関係を及ぼす重要なエンジンオイルに関する問題である。
オイル量点検に平行し、使用中オイル質の内容判断が検知面凹凸溝部で一面目視一見の点検作業に的確有利な構成に形成して設け、即オイルパン内オイルに汚濁や不純物等の混入状況を詳しく調べる時は、オイルレベルゲージを引抜いて垂直に立てた状態で、オイルの流れ落る早さと、汚れ具合は下端面部から流が止まつてできる球面状オイルの大小で、現状の汚れ具合進度状況の確認が公平に理解できる。
従来は、オイルパンの底部に設けた排出口から手間を用する作業で、オイルパンの排出口を開き受け皿に一部を溜めたオイルを見た感触で、質の低下の判断を調べるか、又はオイルレベルゲージを抜き取つた挿通口から、吸取り管をオイルパンに挿込んで、オイルパン底部のオイルをポンプで適量吸上げて溜めたオイルを目視で判断した後に、オイルパンに戻す手間と労力と設備を使う二重三重の不便さと経済性に問題があつた。本案は、実施者が必要を感じた時に、手軽で安直容易に使用中の即オイル内容に関する全てを適切な共通認識の判断で、次回のオイル交換時期の予測進度判断も一目瞭然の理解から、作業効果に高く役立つ点検判断が、有効有利な資源利用の節約と公害防止に貢献する検知点検である。
【図面の簡単な説明】
【図１】本発明の一実施例を説明するための正面図及び側面図である。
【図２】本発明実施形態のオイルレベルゲージのエンジン装着状態図面。、
【図３】他の実施例をしめした図面。
【符号の説明】
１　オイルレベルゲージ　　　　　１１　ガイド曲管付根部
２　顎部　　　　　　　　　　　　１２　オイルパン
３　振れ止め　　　　　　　　　　１３　オイル
４　把手　　　　　　　　　　　　１４　不純物
５　上限目盛線　　　　　　　　　１５　排出口
６　下限目盛線　　　　　　　　　１６　下端面部
７　挿通管　　　　　　　　　　　１７　螺旋状曲折自在バネ
８　長方形枠溝部　　　　　　　　１８　円錐形プラグ
９　検知面凹凸溝部　　　　　　　１９　バネ表面凹凸溝部
１０　シリンダブロツク
【図１】
2004116507.tif 000003
【図２】
2004116507.tif 000004
【図３】
2004116507.tif 000005